(57)【特許請求の範囲】
【請求項１】
電源に並列に接続された整流回路と、前記整流回路の直流出力端に並列接続された第一の平滑コンデンサと、前記整流回路の直流出力端の正極に一端が接続されたチョークコイルと、前記チョークコイルの他端にエミッタが接続された第一のスイッチング素子と、前記チョークコイルの他端にコレクタが接続され、前記整流回路の負極にエミッタが接続された第二のスイッチング素子と、前記第一のスイッチング素子に前記第一のスイッチング素子と逆方向に電流を流すように並列接続された第一のダイオードと、前記第二のスイッチング素子に前記第一のスイッチング素子と逆方向に電流を流すように並列接続された第二のダイオードと、前記第二のスイッチング素子と並列に接続され互いに直列接続され高周波磁界を鍋に供給する共振電流を発生する加熱コイル及び共振コンデンサと、前記第一スイッチング素子のコレクタに一端が接続され、前記第二のスイッチング素子のエミッタに他端が接続された第二の平滑コンデンサと、所定の出力が得られる様に前記第一及び第二のスイッチング素子を制御する制御手段と、を備え、アルミ鍋を加熱する場合に前記共振電流の周波数を駆動周波数の２倍以上の周波数になるように設定したことを特徴とする誘導加熱調理器。
【請求項２】
電源に並列に接続されたフィルタコンデンサと、電源に接続されたチョークコイルと、前記チョークコイルに接続された整流回路と、前記整流回路の直流出力端の正極にエミッタが接続された第一のスイッチング素子と、前記整流回路の直流出力端の正極にコレクタが接続され、前記整流回路の負極にエミッタが接続された第二のスイッチング素子と、前記第一のスイッチング素子に前記第一のスイッチング素子と逆方向に電流を流すように並列接続された第一のダイオードと、前記第二のスイッチング素子に前記第一のスイッチング素子と逆方向に電流を流すように並列接続された第二のダイオードと、前記第二のスイッチング素子と並列に接続され互いに直列接続され高周波磁界を鍋に供給する共振電流を発生する加熱コイル及び共振コンデンサと、前記第一スイッチング素子のコレクタに一端が接続され、前記第二のスイッチング素子のエミッタに他端が接続された第二の平滑コンデンサと、所定の出力が得られる様に前記第一及び第二のスイッチング素子を制御する制御手段と、を備え、アルミ鍋を加熱する場合に前記共振電流の周波数を駆動周波数の２倍以上の周波数になるように設定したことを特徴とする誘導加熱調理器。
【請求項３】
第二のスイッチング素子と並列に第二のコンデンサを配置したことを特徴とする請求項１または２記載の誘導加熱調理器。
【請求項４】
第一のスイッチング素子と並列に第一のコンデンサを配置したことを特徴とする請求項１〜３のいずれか１項に記載の誘導加熱調理器。
【請求項５】
駆動周波数を一定とするとともに、アルミ鍋を加熱する場合に共振電流の周波数が前記駆動周波数の整数倍となるように設定することを特徴とする請求項１〜４のいずれか１項に記載の誘導加熱調理器。
【請求項６】
入力電力の調整を駆動周波数が一定になるように第一のスイッチング素子のオン時間と第二のスイッチング素子のオン時間を同時に変えて制御することを特徴とする請求項１〜５のいずれか１項に記載の誘導加熱調理器。
【発明の詳細な説明】
【０００１】
【発明の属する技術分野】
本発明は、高周波磁界による誘導加熱を利用して調理を行う誘導加熱調理器に関するものである。
【０００２】
【従来の技術】
以下、従来の誘導加熱調理器について図面を参照しながら説明する。図１３は従来から使用されている誘導加熱調理器の一例の構成を示すブロック図である。
【０００３】
電源２１は商用電源であり整流回路２２により整流され、高周波電流を供給する供給源として働く平滑コンデンサ２３に伝達される。チョークコイル２４は電源２１の正極に接続されスイッチング素子２７がターンオフ時に零電流スイッチングを行うことに使用されている。
【０００４】
また、スイッチング素子２７にはダイオード２８が並列に接続されており、電流がスイチング素子２７と逆方向に流れる場合に電流を環流するために用いられる。スイッチング素子２７はオン状態の時に加熱コイル２９と共振コンデンサ３０の共振周波数で共振する共振電流を発生させ、鍋３１に高周波磁界を供給する。
【０００５】
制御手段３３は、マイクロコンピュータなどを用いて入力電力に応じた制御をスイッチング素子２７に行わせている。ここで、スイッチング素子２７の駆動はスイッチング損失などを考慮して通常２０〜３０ｋＨｚで行われている。これに対して鍋３１と結合した加熱コイル２９のインダクタンスと共振コンデンサ３０の容量で決まる共振周波数を、スイッチング素子２７の動作周波数の２倍以上、すなわち２波形以上の共振電流が一回のスイッチング動作で流れるような定数としている。これは、アルミ鍋などを加熱を行う場合に鍋の表皮抵抗が周波数の平方根に比例する特徴を用いて発熱を起こすことを目的としているものであり、表皮抵抗を上昇させかつスイッチング損失を増加させないものであり、このようにしてアルミ鍋や多層鍋などの加熱を可能にしている。
【０００６】
また、図１４は本実施例における各部波形を示す図である。波形（ａ）はスイッチング素子２７及びダイオード２８に流れる電流波形Ｉｃを示し、波形（ｂ）はスイッチング素子２７のコレクタ−エミッタ間に生じる電圧Ｖｃｅを示し、波形（ｃ）は加熱コイル２９に流れる電流ＩＬを示し、波形（ｄ）は制御手段３３によりスイッチング素子２７に与えられる駆動波形ＶＧＥを示している。制御手段３３はスイッチング素子２７にゲート信号を与え、スイッチング素子２７を導通状態にする。
【０００７】
この時、スイッチング素子２７には加熱コイル２９と共振コンデンサ３０で生じた共振電流が流れることになる。ここで、共振電流の周波数は駆動周波数より２倍以上高いため、共振電流はやがて零になり、今度はダイオード２８を通して電流は先ほどと逆方向に流れることになる。この間加熱コイル２９には共振電流が流れ続けるため、鍋３１には共振周波数決まるで高周波磁界が供給されることになる。つまり、通常の２倍以上の周波数で駆動している状態と同様な効果が得られることになる。
【０００８】
この後、必要なパワーを供給した後、制御手段３３はダイオード２８に電流が流れているタイミングでスイッチング素子２７をオフし、一定周期後再びオン状態に移り、これを繰り返すことになる。
【０００９】
【発明が解決しようとする課題】
このような従来の誘導加熱調理器においては、アルミ鍋や多層鍋の加熱が可能になるものの、図１５に示すように商用電源で各部波形を見た場合に加熱コイル２９に流れる電流ＩＬが０〜ピークまでの振れる電流が生じることになる。この際、特にアルミ鍋を加熱する際には、商用周波数の１／２で生じるうなり音が鍋から生じることになる（以下、鍋鳴り音）。これを防ぐ方式としては、入力段でコンバータを挿入し、入力電圧を平滑する方式があるが、部品点数が増加することになる。
【００１０】
本発明は上記の課題を解決するもので、簡単な構成でしかも鍋鳴り音がしない状態でアルミ鍋を加熱できる誘導加熱調理器を提供することを目的としている。
【００１１】
【課題を解決するための手段】
上記課題を解決するために本発明は、電源に並列に接続された整流回路と、前記整流回路の直流出力端に並列接続された第一の平滑コンデンサと、前記整流回路の直流出力端の正極に一端が接続されたチョークコイルと、前記チョークコイルの他端にエミッタが接続された第一のスイッチング素子と、前記チョークコイルの他端にコレクタが接続され、前記整流回路の負極にエミッタが接続された第二のスイッチング素子と、前記第一のスイッチング素子に前記第一のスイッチング素子と逆方向に電流を流すように並列接続された第一のダイオードと、前記第二のスイッチング素子に前記第一のスイッチング素子と逆方向に電流を流すように並列接続された第二のダイオードと、前記第二のスイッチング素子と並列に接続され互いに直列接続され高周波磁界を鍋に供給する共振電流を発生する加熱コイル及び共振コンデンサと、前記第一スイッチング素子のコレクタに一端が接続され、前記第二のスイッチング素子のエミッタに他端が接続された第二の平滑コンデンサと、所定の出力が得られる様に前記第一及び第二のスイッチング素子を制御する制御手段と、を備え、アルミ鍋を加熱する場合に前記共振電流の周波数を駆動周波数の２倍以上の周波数になるように設定したことを特徴とする誘導加熱調理器としている。
【００１２】
これにより、加熱コイルに平滑された電流、電圧が印加されることになり、鍋鳴り音が生じず、騒音の少ないアルミ鍋を加熱することができる誘導加熱調理器を実現できるものである。
【００１３】
【発明の実施の形態】
請求項１記載の発明は、電源に並列に接続された整流回路と、前記整流回路の直流出力端に並列接続された第一の平滑コンデンサと、前記整流回路の直流出力端の正極に一端が接続されたチョークコイルと、前記チョークコイルの他端にエミッタが接続された第一のスイッチング素子と、前記チョークコイルの他端にコレクタが接続され、前記整流回路の負極にエミッタが接続された第二のスイッチング素子と、前記第一のスイッチング素子に前記第一のスイッチング素子と逆方向に電流を流すように並列接続された第一のダイオードと、前記第二のスイッチング素子に前記第一のスイッチング素子と逆方向に電流を流すように並列接続された第二のダイオードと、前記第二のスイッチング素子と並列に接続され互いに直列接続され高周波磁界を鍋に供給する共振電流を発生する加熱コイル及び共振コンデンサと、前記第一スイッチング素子のコレクタに一端が接続され、前記第二のスイッチング素子のエミッタに他端が接続された第二の平滑コンデンサと、所定の出力が得られる様に前記第一及び第二のスイッチング素子を制御する制御手段と、を備え、アルミ鍋を加熱する場合に前記共振電流の周波数を駆動周波数の２倍以上の周波数になるように設定したことを特徴とする誘導加熱調理器としている。
【００１４】
これにより、加熱コイルに平滑された電流、電圧が印加されることになり、鍋鳴り音が生じず、騒音の少ないアルミ鍋を加熱することができる誘導加熱調理器を実現できるものである。
【００１５】
請求項２記載の発明は、電源に並列に接続されたフィルタコンデンサと、電源に接続されたチョークコイルと、前記チョークコイルに接続された整流回路と、前記整流回路の直流出力端の正極にエミッタが接続された第一のスイッチング素子と、前記整流回路の直流出力端の正極にコレクタが接続され、前記整流回路の負極にエミッタが接続された第二のスイッチング素子と、前記第一のスイッチング素子に前記第一のスイッチング素子と逆方向に電流を流すように並列接続された第一のダイオードと、前記第二のスイッチング素子に前記第一のスイッチング素子と逆方向に電流を流すように並列接続された第二のダイオードと、前記第二のスイッチング素子と並列に接続され互いに直列接続され高周波磁界を鍋に供給する共振電流を発生する加熱コイル及び共振コンデンサと、前記第一スイッチング素子のコレクタに一端が接続され、前記第二のスイッチング素子のエミッタに他端が接続された第二の平滑コンデンサと、所定の出力が得られる様に前記第一及び第二のスイッチング素子を制御する制御手段と、を備え、アルミ鍋を加熱する場合に前記共振電流の周波数を駆動周波数の２倍以上の周波数になるように設定したことを特徴とする誘導加熱調理器としている。
【００１６】
これにより、第一の平滑コンデンサに電流が回生しないために、入力電力が無駄なく回路に供給されるため、効率の良いアルミ鍋の加熱が可能な誘導加熱調理器を実現できるものである。
【００１７】
請求項３記載の発明は、第二のスイッチング素子と並列に第二のコンデンサを配置したことを特徴としている。
【００１８】
これにより、第二のスイッチング素子のターンオフ時に発生する損失を抑えることが可能になり、損失の少なく、ノイズの少ない、アルミ鍋の加熱が可能な誘導加熱調理器を実現できるものである。
【００１９】
請求項４記載の発明は、第一のスイッチング素子と並列に第一のコンデンサを配置したことを特徴としている。
【００２０】
これにより、第一のスイッチング素子のターンオフ時に発生する損失を抑えることが可能になり、損失の少なく、ノイズの少ない、アルミ鍋の加熱が可能な誘導加熱調理器を実現できるものである。
【００２１】
請求項５記載の発明は、駆動周波数を一定とするとともに、アルミ鍋を加熱する場合に共振電流の周波数が前記駆動周波数の整数倍となるように設定することを特徴としている。
【００２２】
これにより、必要な入力電力が第二のスイッチング素子において小さいオン時間で実現ができ、素子耐圧が大きくならない、アルミ鍋の加熱が可能な誘導加熱調理器を実現できるものである。
【００２３】
請求項６記載の発明は、入力電力の調整を駆動周波数が一定になるように第一のスイッ
チング素子のオン時間と第二のスイッチング素子のオン時間を同時に変えて制御することを特徴としている。
【００２４】
これにより、隣接するバーナ間の動作周波数の差で生じる鍋鳴り音を防止することができるアルミ鍋の加熱が可能な誘導加熱調理器を実現できるものである。
【００２５】
【実施例】
（実施例１）
本発明の第１の実施例について図面を参照しながら説明する。
【００２６】
図１は本実施例の誘導加熱調理器の回路構成を示す図である。電源１は商用電源であり整流回路２により整流され、高周波電流を供給する供給源として働く第一の平滑コンデンサ３に伝達される。チョークコイル４は、整流回路２の正極に接続され、第二のスイッチング素子７のオン時にエネルギーを蓄え、第二のスイッチング素子７がオフした時に第一のダイオード６を通して第二の平滑コンデンサ１２に蓄えたエネルギーを放出する。チョークコイル４には交互に動作する第一のスイッチング素子５及び第二のスイッチング素子７が接続される。チョークコイル４とコレクタ端子が接続される第二のスイッチング素子７は、オン状態の時にチョークコイル４にエネルギーを蓄えるとともに、加熱コイル９と共振コンデンサ１０の共振周波数で共振する共振電流を発生させ、鍋１１に高周波磁界を供給する。
【００２７】
また、第二のスイッチング素子７には第二のダイオード８が並列に接続されており、電流が第二のスイチング素子７と逆方向に流れる場合に電流を環流するために用いられる。チョークコイル４とエミッタ端子が接続される第一のスイッチング素子５には、第一のダイオード６が並列に接続されており、第二のスイッチング素子７のオフ期間に、第二の平滑コンデンサ１２に蓄えられたエネルギーを加熱コイル９及び共振コンデンサ１０に放出することになる。この際、発生する共振電流は加熱コイル９と共振コンデンサ１０で決まる周波数となり、鍋１１に高周波磁界を供給することになる。
【００２８】
このように、第二の平滑コンデンサ１２に一度エネルギーを蓄えることにより、加熱コイル９及び共振コンデンサ１０にかかる電圧及び流れる電流を平滑化することが可能となり、商用周波数で生じる脈流を軽減することが可能となる。制御手段１３は、マイクロコンピュータなどを用いて入力電力に応じた制御を第一のスイッチング素子５及び第二のスイッチング素子７に行わせる。ここで、第一のスイッチング素子５及び第二のスイッチング素子７の駆動はスイッチング損失などを考慮して通常２０〜３０ｋＨｚで行われている。
【００２９】
これに対して鍋１１と結合した加熱コイル９のインダクタンスと共振コンデンサ１０の容量で決まる共振周波数を、スイッチング素子４の動作周波数の２倍以上、すなわち２波形以上の共振電流が一回のスイッチング動作で流れるような定数としている。これは、アルミ鍋などを加熱を行う場合に鍋の表皮抵抗が周波数の平方根に比例する特徴を用いて発熱を起こすことを目的としているものであり、表皮抵抗を上昇させかつスイッチング損失を増加させないものであり、このようにしてアルミ鍋や多層鍋などの加熱を可能にしている。
【００３０】
上記構成における動作について説明する。図２は本実施例における各部波形を示す図である。波形（ａ）は第二のスイッチング素子７及び第二のダイオード８に流れる電流波形Ｉｃ２を示し、波形（ｂ）は第一のスイッチング素子５及び第一のダイオード６に流れる電流波形Ｉｃ１を示し、波形（ｃ）は第二のスイッチング素子７のコレクタ−エミッタ間に生じる電圧Ｖｃｅ２を示し、波形（ｄ）は第一のスイッチング素子５のコレクタ−エミッタ間に生じる電圧Ｖｃｅ１を示し波形（ｅ）は加熱コイル９に流れる電流ＩＬを示している。
【００３１】
制御手段１３は第二のスイッチング素子７にゲート信号が与え、第二のスイッチング素子７を導通状態にする。この時、第二のスイッチング素子４には加熱コイル９と共振コンデンサ１０で生じた共振電流が流れることになる。ここで、共振電流の周波数は駆動周波数より２倍以上高いため、共振電流はやがて零になり、今度は第一のダイオード８を通して電流は先ほどと逆方向に流れることになる。この間加熱コイル９には共振電流が流れ続けるため、鍋１１には共振周波数決まるで高周波磁界が供給されることになる。つまり、通常の２倍以上の周波数で駆動している状態と同様な効果が得られることになる。
【００３２】
この後、制御手段１３は必要な駆動時間が経過した後、第二のスイッチング素子７をオフ状態にする。この間、チョークコイル４にはエネルギーが蓄えられており、第二のスイッチング素子７がオフすると同時に第一のダイオード６を通して電流が第二の平滑コンデンサ１２に流れることになる。ここで、第一のスイッチング素子５がオン状態になるため、第二の平滑コンデンサ１２に蓄えられたエネルギーは、加熱コイル９と共振コンデンサ１０で決まる周波数を持った共振電流を供給することになる。ここで、共振電流の周波数は駆動周波数より２倍以上高いため、共振電流はやがて零になり、今度は第一のダイオード６を通して電流は先ほどと逆方向に流れることになる。
【００３３】
この後、制御手段１３は必要な駆動時間が経過した後、第一のスイッチング素子７をオフ状態にする。
【００３４】
制御手段１３は第一のスイッチング素子５と第二のスイッチング素子７を交互にオン・オフする動作を繰り返すことになる。図３は、このような動作を繰り返すことにより生じた波形を商用周波数で見た波形を示している。波形（ａ）は商用電源の電圧波形を、波形（ｂ）は加熱コイル９及び共振コンデンサ１０にかかる電圧  Ｖｃｅ２を、波形（ｃ）は加熱コイル９に流れる電流ＩＬを示している。このように第二の平滑コンデンサ１２により、加熱コイルに流れる電流が平滑化されるため、全波整流の周波数で生じる鍋鳴り音が抑えられることになる。
【００３５】
以上のように本実施例によれば、第二の平滑コンデンサ１２により加熱コイル９に平滑された電流、電圧が印加されることになり、鍋鳴り音が生じず、騒音の少ないアルミ鍋を加熱することができる誘導加熱調理器を実現できるものである。
【００３６】
（実施例２）
本発明の第２の実施例について図面を参照しながら説明する。本実施例は請求項２に係わる。
【００３７】
図４は本実施例の回路構成を示す図である。本実施例が実施例１の構成と異なるのは第一の平滑コンデンサ１６及びチョークコイル１５が電源１と整流回路１４の間に配置されている点である。
【００３８】
本実施例における動作を説明する。制御手段１３の動作は実施例１と同様に第一のスイッチング手段５と第二のスイッチング手段７を必要な入力電力を確保するため交互にオン・オフ動作を行う。この際、第一のスイッチング素子５のオン時には、実施例１では加熱コイル９に電流が流れるとともに、チョークコイル４から第一の平滑コンデンサ３に電流に電流の一部が回生することになる。そこで、本実施例の構成を取ることにより、整流回路１４が回線電流を阻止する様に働くため、第一の平滑コンデンサ１６に電流が回生することがなく、入力電力を加熱コイル９及び鍋１１に伝達することが可能になる。なお、整流回路１４に使用されるダイオードは高周波電流が通過するため、高速のダイオードが望ましいことになる。
【００３９】
以上のように本実施例によれば、第一の平滑コンデンサ１６に電流が回生しないために、入力電力が無駄なく回路に供給されるため、効率の良いアルミ鍋の加熱が可能な誘導加熱調理器を実現できるものである。
【００４０】
（実施例３）
本発明の第３の実施例について図面を参照しながら説明する。本実施例は請求項３に係わる。
【００４１】
図５は本実施例の回路構成を示す図である。本実施例が実施例１の構成と異なるのは第二のスナバコンデンサ１７が第二のスイッチング素子７のコレクタ−エミッタ間に接続されている点である。
【００４２】
上記構成における動作について説明する。図６は本実施例における各部波形を示す図である。（ａ）は実施例１の構成で第二のスイッチング素子７（Ｑ１ｂ）をオフさせた際の第二のスイッチング素子７（Ｑ１ｂ）のコレクタ−エミッタ間にかかる電圧Ｖｃｅ２及びコレクタ電流Ｉｃ２を示している。
【００４３】
また、（ｂ）は第二のスナバコンデンサ１７を付けた構成とした場合に、第二のスイッチング素子７（Ｑ１ｂ）をオフさせた際の第二のスイッチング素子７（Ｑ１ｂ）のコレクタ−エミッタ間にかかる電圧Ｖｃｅ２及びコレクタ電流Ｉｃ２を示している。この図で示されるように、第二のスナバコンデンサ１７はコレクタ電圧の急激な上昇を抑えることで、ターンオフ時に発生するスイッチング損失を抑えることが可能にある。この際、第二のスイッチング素子７をオフするタイミングとしては、第二のスイッチング素子７に電流が流れているタイミングで行うことが望ましい。
【００４４】
以上の様に本実施例によれば、第二のスイッチング素子７のターンオフ時に発生する損失を抑えることが可能になり、損失の少なく、ノイズの少ない、アルミ鍋の加熱が可能な誘導加熱調理器を実現できるものである。
【００４５】
（実施例４）
本発明の第４の実施例について図面を参照しながら説明する。本実施例は請求項４に係わる。
【００４６】
図７は本実施例の回路構成を示す図である。本実施例が実施例１の構成と異なるのは第一のスナバコンデンサ１８が第一のスイッチング素子５のコレクタ−エミッタ間に接続されている点である。
【００４７】
上記構成における動作について説明する。図８は本実施例における各部波形を示す図である。（ａ）は実施例１の構成で第一のスイッチング素子５（Ｑ１ａ）をオフさせた際の第一スイッチング素子５（Ｑ１ａ）のコレクタ−エミッタ間にかかる電圧Ｖｃｅ１及びコレクタ電流Ｉｃ１を示している。また、（ｂ）は第一のスナバコンデンサ１８を付けた構成とした場合に、第二のスイッチング素子５（Ｑ１ａ）をオフさせた際の第一のスイッチング素子５（Ｑ１ａ）のコレクタ−エミッタ間にかかる電圧Ｖｃｅ１及びコレクタ電流Ｉｃ１を示している。この図で示されるように、第一のスナバコンデンサ１８はコレクタ電圧の急激な上昇を抑えることで、ターンオフ時に発生するスイッチング損失を抑えることが可能にある。この際、第一のスイッチング素子５をオフするタイミングとしては、第一のスイッチング素子５に電流が流れているタイミングで行うことが望ましい。
【００４８】
以上の様に本実施例によれば、第一のスイッチング素子５のターンオフ時に発生する損失を抑えることが可能になり、損失の少なく、ノイズの少ない、アルミ鍋の加熱が可能な誘導加熱調理器を実現できるものである。
【００４９】
（実施例５）
本発明の第５の実施例について図面を参照しながら説明する。本実施例は請求項５に係わる。
【００５０】
本実施例の構成は図１と同様な構成をとるため省略する。
【００５１】
図９は、加熱コイル９と共振コンデンサ１０の値を加熱コイル９に流れる共振電流の周波数が駆動周波数の整数倍となるように設定した場合の第二のスイッチング素子７のオン時間と入力電力の関係を示す図である。本実施例の様に加熱コイル９と共振コンデンサ１０を設定することにより、周期の１／２付近で必要な入力電力を確保することが可能になる。この第二のスイッチング素子７のオン時間が短いということは、第二の平滑コンデンサ１２にかかる電圧を低く抑えることになり、その結果、第一のスイッチング素子５及び第二のスイッチング素子７の素子耐圧を低く抑えることになる。
【００５２】
以上の様に本実施例によれば、必要な入力電力を第二のスイッチング素子７のオン時間において少ない時間で実現がすることができ、素子耐圧が大きくならない、アルミ鍋の加熱が可能な誘導加熱調理器を実現できるものである。
【００５３】
（実施例６）
本発明の第６の実施例について図面を参照しながら説明する。本実施例は請求項６に係わる。
【００５４】
本実施例の構成は図１と同様な構成をとるため省略する。
【００５５】
図１０は、本実施例において周波数一定で入力電力を変化させた場合の各部波形を示している。（１）は入力電力が大きい場合であり、（２）は入力電力が小さい場合の各部波形を示している。図９で示した様に、制御手段１３が第二のスイッチング素子７のオン時間を長くした場合には入力電力が大きく、オン時間を短くした場合には入力電力が小さくなることになる。ここで制御手段１３は、第一のスイッチング素子５のオン時間も同時に変えることで、周波数一定で入力電力を可変することを可能にしている。このことにより、隣接するバーナ間で入力電力が異なる場合でも、隣接間のバーナの動作周波数の差で生じる鍋鳴り音の発生を抑えることが可能なる。
【００５６】
以上の様に本実施例によれば、制御手段１３が入力電力の調整を駆動周波数が一定になるように制御することで、隣接するバーナ間の動作周波数の差で生じる鍋鳴り音を防止することができるアルミ鍋の加熱が可能な誘導加熱調理器を実現できるものである。
【００５７】
（参考例１）
本発明の第１の参考例について図面を参照しながら説明する。
【００５８】
本参考例の構成は図１と同様な構成をとるため省略する。
【００５９】
図１１は本参考例において、第二のスイッチング素子７のオン時間と入力電力の関係を示す図である。ここで、制御手段１３は第二のスイッチング素子７が一定のオン時間以上長くならないように制御することになる。このことにより、制御手段１３が入力電圧に応じて入力電流が正弦波になるように第二のスイッチング素子７のオン時間を変えていくアクティブコンバータ制御を行った場合に、オン時間が長くなるに従い、入力電流が大きくなる関係を保つことが可能になる。よって、第二のスイッチング素子７のオン時間を長くすると電流が増加するため、アクティブコンバータ機能を容易に持たせることができるとともに、制御性が良くなることになる。
【００６０】
以上の様に本参考例によれば、第二のスイッチング素子７の駆動時間に上限を設けることにより、第二のスイッチング素子７のオン時間の増加と入力電流の増加に比例関係が生じることになり制御性に優れたアルミ鍋の加熱可能な誘導加熱調理器を実現できるものである。
【００６１】
（参考例２）
本発明の第２の参考例について図面を参照しながら説明する。
【００６２】
本参考例の構成は図１と同様な構成をとるため省略する。
【００６３】
図１２は本参考例において、第二のスイッチング素子７のオン時間と入力電力の関係を示す図である。ここで、制御手段１３は第二のスイッチング素子７が一定のオン時間以上短くならないように制御することになる。このことにより、制御手段１３が入力電圧に応じて入力電流が正弦波になるように第二のスイッチング素子７のオン時間を変えていくアクティブコンバータ制御を行った場合に、オン時間が短くなるに従い、入力電流が小さくなる関係を保つことが可能になる。よって、第二のスイッチング素子７のオン時間を短くすると電流が減少するため、アクティブコンバータ機能を容易に持たせることができるとともに、制御性が良くなることになる。
【００６４】
以上の様に本参考例によれば、第二のスイッチング素子７の駆動時間に下限を設けることにより、第二のスイッチング素子７のオン時間の減少と入力電流の減少に比例関係が生じることになり制御性に優れたアルミ鍋の加熱可能な誘導加熱調理器を実現できるものである。
【００６５】
【発明の効果】
以上のように、請求項１記載の発明によれば、第二の平滑コンデンサにより加熱コイルに平滑された電流、電圧が印加されることになり、鍋鳴り音が生じず、騒音の少ないアルミ鍋を加熱することができる誘導加熱調理器を実現できるものである。
【００６６】
また、請求項２記載の発明によれば、第一の平滑コンデンサに電流が回生しないために、入力電力が無駄なく回路に供給されるため、効率の良いアルミ鍋の加熱が可能な誘導加熱調理器を実現できるものである。
【００６７】
また、請求項３記載の発明によれば、第二のスイッチング素子のターンオフ時に発生する損失を抑えることが可能になり、損失の少なく、ノイズの少ない、アルミ鍋の加熱が可能な誘導加熱調理器を実現できるものである。
【００６８】
また、請求項４記載の発明によれば、第一のスイッチング素子のターンオフ時に発生する損失を抑えることが可能になり、損失の少なく、ノイズの少ない、アルミ鍋の加熱が可能な誘導加熱調理器を実現できるものである。
【００６９】
また、請求項５記載の発明によれば、必要な入力電力を第二のスイッチング素子のオン時間において少ない時間で実現がすることができ、素子耐圧が大きくならない、アルミ鍋の加熱が可能な誘導加熱調理器を実現できるものである。
【００７０】
また、請求項６記載の発明によれば、制御手段が入力電力の調整を駆動周波数が一定になるように制御することで、隣接するバーナ間の動作周波数の差で生じる鍋鳴り音を防止することができるアルミ鍋の加熱が可能な誘導加熱調理器を実現できるものである。
【図面の簡単な説明】
【図１】  本発明の第１の実施例の誘導加熱調理器の回路構成を示す図
【図２】  同誘導加熱調理器の各部の動作を示す波形図
【図３】  同誘導加熱調理器の各部の動作を示す別の波形図
【図４】  本発明の第２の実施例の誘導加熱調理器の回路構成を示す図
【図５】  本発明の第３の実施例の誘導加熱調理器の回路構成を示す図
【図６】  同誘導加熱調理器の各部の動作を示す波形図
【図７】  本発明の第４の実施例の誘導加熱調理器の回路構成を示す図
【図８】  同誘導加熱調理器の各部の動作を示す波形図
【図９】  本発明の第５の実施例の誘導加熱調理器の第二のスイッチング素子のオン時間と入力電力の関係を示す図
【図１０】  本発明の第６の実施例の誘導加熱調理器の入力電力に対する各部の動作を示す波形図
【図１１】  本発明の第１の参考例の誘導加熱調理器の第二のスイッチング素子のオン時間と入力電力の関係を示す図
【図１２】  本発明の第２の参考例の誘導加熱調理器の第二のスイッチング素子のオン時間と入力電力の関係を示す図
【図１３】  従来の誘導加熱調理器の回路構成の例を示す図
【図１４】  同誘導加熱調理器の各部波形を示す図
【図１５】  同誘導加熱調理器の各部波形を示す図
【符号の説明】
１    電源
２    整流回路
３    第一の平滑コンデンサ
４    チョークコイル
５    第一のスイッチング素子
６    第一のダイオード
７    第二のスイッチング素子
８    第二のダイオード
９    加熱コイル
１０    共振コンデンサ
１１    鍋
１２    第二の平滑コンデンサ
１３    制御手段
１４    整流回路
１５    チョークコイル
１６    第一の平滑コンデンサ
１７    第二のスナバコンデンサ
１８    第一のスナバコンデンサ
２１    電源
２２    整流回路
２３    平滑コンデンサ
２４    チョークコイル
２７    スイッチング素子
２８    ダイオード
２９    加熱コイル
３０    共振コンデンサ
３１    鍋
３２    制御手段
【図１】
0004345209.tif 000002
【図２】
0004345209.tif 000003
【図３】
0004345209.tif 000004
【図４】
0004345209.tif 000005
【図５】
0004345209.tif 000006
【図６】
0004345209.tif 000007
【図７】
0004345209.tif 000008
【図８】
0004345209.tif 000009
【図９】
0004345209.tif 000010
【図１０】
0004345209.tif 000011
【図１１】
0004345209.tif 000012
【図１２】
0004345209.tif 000013
【図１３】
0004345209.tif 000014
【図１４】
0004345209.tif 000015
【図１５】
0004345209.tif 000016